(57)【要約】      （修正有）【課題】複数のケースへの薬の収容作業を容易にするケース蓋開閉具および複数のケースの蓋の開閉方法を提供する。【解決手段】ケース蓋開閉具１は、ケース蓋Ｚ３付きのケースＺを複数設置可能なケース設置部２と、ケース設置部２に開閉可能に設けられた器具蓋部３とを備え、器具蓋部３は、ケース設置部２に回動可能に設けられた回動部材６１と、回動部材６１にスライド可能に設けられたスライド部材６２とからなり、スライド部材６２は、複数のケースＺのケース蓋Ｚ３に係止可能な爪部５２を備える。【選択図】図１
2019001535.tif 000002
【特許請求の範囲】
【請求項１】
蓋付きのケースを複数設置可能なケース設置部と、前記ケース設置部に開閉可能に設けられた器具蓋部とを備え、
前記器具蓋部は、前記ケース設置部に回動可能に設けられた第一の部材と、前記第一の部材にスライド可能に設けられた第二の部材とからなり、
前記第二の部材は、複数の前記ケースの蓋に係止可能な爪部を備えることを特徴とするケース蓋開閉具。
【請求項２】
前記第一の部材若しくは前記第二の部材は、前記第二の部材のスライドに伴って前記ケースの蓋を押さえる押さえ部を備え、
前記押さえ部は、前記爪部よりも、前記第一の部材の回動中心側に配置されていることを特徴とする請求項１に記載のケース蓋開閉具。
【請求項３】
樹脂製の前記ケースを開閉することを特徴とする請求項１又は２に記載のケース蓋開閉具。
【請求項４】
開閉具のケース設置部に蓋付きのケースを複数設置し、前記ケース設置部に開閉可能に設けられた器具蓋部を構成する第一の部材を閉じた状態で、前記器具蓋部に備えるスライド可能な第二の部材を前記第一の部材に対してスライドさせて、前記第二の部材に備える爪部を複数の前記ケースの蓋に係止させ、前記器具蓋部を開けることで複数の前記ケースの蓋を開けることを特徴とする複数のケースの蓋の開閉方法。
【発明の詳細な説明】
【技術分野】
【０００１】
本発明は、ケース蓋開閉具および複数のケースの蓋の開閉方法に関する。
【背景技術】
【０００２】
従来、薬の飲み忘れや誤服用を防止するために、服用時刻になった場合に、服用時刻に飲むべき薬を供給する服薬支援装置が知られている（例えば、特許文献１参照）。特許文献１に記載の服薬支援装置では、服用時刻毎に飲むべき薬が、ケース（ピルケース）に収容されており、服用時刻になったときに、対応するケースが供給される。
【先行技術文献】
【特許文献】
【０００３】
【特許文献１】特開２０１５−５８０８１号公報
【発明の概要】
【発明が解決しようとする課題】
【０００４】
上記薬については、複数のケースの蓋を開閉してケースに収容させる作業が必要であり、服用回数が多いほど、使用するケースの数も多くなる。このため、ケースへの薬の収容作業が煩雑になる。
本発明は、上述した事情に鑑みてなされたものであり、複数のケースへの薬の収容作業を容易にするケース蓋開閉具および複数のケースの蓋の開閉方法を提供することを目的とする。
【課題を解決するための手段】
【０００５】
本発明は、蓋付きのケースを複数設置可能なケース設置部と、前記ケース設置部に開閉可能に設けられた器具蓋部とを備え、前記器具蓋部は、前記ケース設置部に回動可能に設けられた第一の部材と、前記第一の部材にスライド可能に設けられた第二の部材とからなり、前記第二の部材は、複数の前記ケースの蓋に係止可能な爪部を備えることを特徴とする。
【０００６】
上記発明において、前記第一の部材若しくは前記第二の部材は、前記第二の部材のスライドに伴って前記ケースの蓋を押さえる押さえ部を備え、前記押さえ部は、前記爪部よりも、前記第一の部材の回動中心側に配置されていても良い。
また、上記発明において、樹脂製の前記ケースを開閉しても良い。
【０００７】
本発明は、開閉具のケース設置部に蓋付きのケースを複数設置し、前記ケース設置部に開閉可能に設けられた器具蓋部を構成する第一の部材を閉じた状態で、前記器具蓋部に備えるスライド可能な第二の部材を前記第一の部材に対してスライドさせて、前記第二の部材に備える爪部を複数の前記ケースの蓋に係止させ、前記器具蓋部を開けることで複数の前記ケースの蓋を開けることを特徴とする。
【発明の効果】
【０００８】
本発明に係るケース蓋開閉具は、蓋付きのケースを複数設置可能なケース設置部と、前記ケース設置部に開閉可能に設けられた器具蓋部とを備え、前記器具蓋部は、前記ケース設置部に回動可能に設けられた第一の部材と、前記第一の部材にスライド可能に設けられた第二の部材とからなり、前記第二の部材は、複数の前記ケースの蓋に係止可能な爪部を備えるので、第二の部材をスライドさせ、第二の部材の爪部を複数のケースの蓋に係止させて器具蓋部を開けるのに伴い、複数のケースの蓋を開けることができ、複数のケースへの薬の収容作業を容易にすることができる。
【図面の簡単な説明】
【０００９】
【図１】本発明に係る第１の実施形態のケース蓋開閉具の斜視図である。
【図２】ケース設置部に対して器具蓋部が閉じた状態を示す斜視図である。
【図３】器具蓋部が閉じた状態のケース蓋開閉具の右側面図である。
【図４】カバー体、押さえ部材及びピルケースを表す要部分解斜視図である。
【図５】ケース蓋開閉具を用いて複数のピルケースのケース蓋を開けるときの作用説明図である。
【図６】ケース蓋開閉具によりピルケースのケース蓋を開け始めるときの作用説明図である。
【図７】ピルケースのケース蓋が全開した状態を表す斜視図である。
【図８】ピルケースのケース蓋が全開した状態を表す右側面図である。
【図９】ケース蓋開閉具を用いて複数のピルケースの蓋を閉じるときの作用説明図である。
【図１０】第２の実施形態のケース蓋開閉具によりピルケースの蓋を開け始めるときの作用説明図である。
【発明を実施するための形態】
【００１０】
以下、図面を参照して本発明の各実施形態について説明する。なお、説明中、前後左右および上下といった方向の記載は、特に記載がなければ図１を基準にした方向として説明する。すなわち、ケース蓋開閉具１の前方をＦＲ、向かって左側をＬＨ、上方をＵＰとする。
【００１１】
＜第１の実施形態＞
図１は、本発明に係る第１の実施形態のケース蓋開閉具１の斜視図である。
ケース蓋開閉具１は、ピルケース（蓋付きのケース）Ｚを複数設置可能なケース設置部２と、ケース設置部２に開閉可能に設けられた器具蓋部３とを備える。
ケース設置部２は、左右方向に延びる浅底の容器状に形成されている。ケース設置部２は、底部１１と、底部１１の後端から立ち上げられた後壁部１２と、底部１１の前端から立ち上げられた前壁部１３と、底部１１の左右端から立ち上げられた左右一対の側壁部１４、１５とを備える。後壁部１２と左右の側壁部１４、１５とは同一高さであり、前壁部１３は、後壁部１２よりも低い。底部１１、後壁部１２、前壁部１３、および、側壁部１４、１５により、複数のピルケースＺが収容される収容部１６が形成される。収容部１６には、後壁部１２と前壁部１３との間に前後方向に延びる仕切壁１７が設けられている。本実施形態のケース設置部２には、６つの仕切壁１７が形成されており、７つのピルケースＺが設置可能に構成されている。１週間分の薬を７つのピルケースＺに分けて収容することが可能である。なお、収容部１６に設置されるピルケースＺの数は７つに限定されず、２以上のピルケースＺを設置可能であれば任意の数のピルケースＺを設置可能とした構成が可能である。
【００１２】
側壁部１４、１５の後端部には、器具蓋部３が回動可能に支持される。器具蓋部３は、左右一対の側壁２１、２２を備える。側壁２１、２２には、円形状の基端部２１ａ、２２ａが形成されている。基端部２１ａ、２２ａには、それぞれ左右方向内側に突出した軸部２１ｂ（基端部２１ａの軸部２１ｂのみ図示）が形成されている。各軸部２１ｂは、ケース設置部２の側壁部１４、１５に設けられた図示しない孔に挿入される。これにより、基端部２１ａ、２２ａが、側壁部１４、１５に対して左右の軸部２１ｂを中心にして回動可能になる。以下、器具蓋部３の回動中心を符号Ｌ１で示す。
【００１３】
側壁２１、２２には、基端部２１ａ、２２ａから延びる直線部２１ｃ、２２ｃが形成されている。直線部２１ｃ、２２ｃには、器具蓋部３の内面側の部分に、左右方向内側に突出した内側片２１ｄ、２２ｄが形成されている。
【００１４】
図２は、ケース設置部２に対して器具蓋部３が閉じた状態を示す斜視図である。
側壁２１、２２には、基端部２１ａ、２２ａ間に、左右方向に延びる外プレート２３が渡されて固定されている。外プレート２３の前後方向の幅は、基端部２１ａ、２２ａに対応して形成されている。側壁２１、２２の直線部２１ｃ、２２ｃには、器具蓋部３の外面側の部分に、左右方向内側に突出した外側片２１ｅ、２２ｅが形成されている。
【００１５】
左右の直線部２１ｃ、２２ｃ間には、板状のカバー体（蓋部本体）３１が配置される。カバー体（蓋部本体）３１は、上述した内側片２１ｄ（図１参照）と外側片２１ｅ、内側片２２ｄ（図１参照）と外側片２２ｅにそれぞれ挟まれている。カバー体３１の後端は、外プレート２３に覆われる。カバー体３１は、外プレート２３と共に、ケース設置部２の全ての収容部１６を上方から覆う大きさに形成されている。
本実施形態では、カバー体３１が前後方向にスライド可能に支持される。すなわち、カバー体３１は、直線部２１ｃ、２２ｃと、内側片２１ｄ、２２ｄと、外側片２１ｅ、２２ｅと、外プレート２３とによって案内されることにより、側壁２１、２２の直線部２１ｃ、２２ｃに沿って前後方向にスライド可能となる。
【００１６】
図３は、図２の右側面図であり、ピルケースＺがケース設置部２に設置された状態を示す。図４は、カバー体３１と押さえ部材４１とピルケースＺの関係を表す模式図である。
図３において、ケース設置部２には、ピルケースＺが設置される。本実施形態のピルケースＺは、樹脂製である。本実施形態のピルケースＺは一体成形されている。ピルケースＺは、薬剤を収容可能なケース本体Ｚ１と、ケース本体Ｚ１の後部に設けられたリビングヒンジ部Ｚ２と、リビングヒンジ部Ｚ２を介してケース本体Ｚ１に開閉可能に支持されたケース蓋Ｚ３とを備える。ケース本体Ｚ１の前部内側には、スナップフィット部Ｚ１ａが形成されている。スナップフィット部Ｚ１ａは、ケース蓋Ｚ３の内面に形成された被係止部（不図示）に係止して、ケース蓋Ｚ３を閉じた状態に保持する。ケース蓋Ｚ３の前部外側には、前方に突出したリブＺ３ａが形成されている。リブＺ３ａは左右方向に延びている（図１参照）。なお、ピルケースＺがケース設置部２に設置された際に、リビングヒンジ部Ｚ２が、器具蓋部３の回動中心Ｌ１と同軸上又は回動中心Ｌ１の近傍に位置するようにケース設置部２が構成されている。
【００１７】
図３、図４において、器具蓋部３は、ピルケースＺを押さえ付ける押さえ部材４１を備える。押さえ部材４１は、カバー体３１よりも下方のピルケースＺ側に配置される。押さえ部材４１は、左右方向に延びる被支持部４２を備える。被支持部４２は、側壁２１、２２のそれぞれの前端部に支持される。被支持部４２には、下方に突出する凸部４２ａが形成されている。凸部４２ａは、押さえ部材４１の左右方向の幅全体に亘って形成されている。凸部４２ａは、器具蓋部３が閉じられているときに、ピルケースＺのケース蓋Ｚ３を押さえ付ける。被支持部４２には、回動中心Ｌ１側に向かって延びる複数の延伸部４３が形成されている（図１参照）。延伸部４３は、各ピルケースＺの設置位置毎に形成されている（図１参照）。
【００１８】
延伸部４３の自由端側には、下方に突出する押さえ部４４が形成されている。押さえ部４４は、器具蓋部３が閉じたときに、ピルケースＺのケース蓋Ｚ３を押し付けるように突出している。押さえ部４４は、凸部４２ａよりも回動中心Ｌ１側に配置される。詳しくは、押さえ部４４の位置は、ピルケースＺの前後方向の中央を通る中心線Ｌ２（図３参照）よりもリビングヒンジ部Ｚ２側である。押さえ部４４がケース蓋Ｚ３を下方に押し付けると、ケース蓋Ｚ３が下方に撓む。よって、押さえ部４４がケース蓋Ｚ３を押し付けるときには、ピルケースＺ全体を上方に移動し難くできる一方で、押さえ部４４から離間したケース蓋Ｚ３のリブＺ３ａ側の部分を浮き上がり易くできる。
【００１９】
図４において、各延伸部４３の上面には、押さえ部４４よりも被支持部４２側に第一の凹部４５が形成されている。また、延伸部４３の上面には、押さえ部４４よりも回動中心Ｌ１側に、第二の凹部４６が形成されている。第一の凹部４５と第二の凹部４６に挟まれた部分により凸状部４７が形成される。凸状部４７は、押さえ部４４の真上に形成される。
【００２０】
カバー体３１の下部には、各延伸部４３の位置毎に、下方に突出する凸部３２が形成されている。図３には、凸部３２が第一の凹部４５に進入して、カバー体３１がスライド範囲の前端の前端位置に移動した状態が図示されている。
【００２１】
図３において、カバー体３１の前端部には、前方に突出する把持部５１が形成されている。把持部５１はユーザに把持されて器具蓋部３に回動力を付与可能な部分である。図２において、把持部５１は、カバー体３１の左右方向中央部に配置されている。把持部５１の左右両側に対応して、ケース設置部２には右突出部２ａと左突出部２ｂとが一体に形成されている。右突出部２ａ及び左突出部２ｂは、器具蓋部３を開ける際にユーザが手で押さえる部分である。右突出部２ａ及び左突出部２ｂは底部１１（図１参照）に沿って形成され、把持部５１の左右両側から上方に露出している。ここで、ユーザが左手で把持部５１を把持した際には、右突出部２ａを右手で押さえることが可能である。また、ユーザが右手で把持部５１を把持した場合には、左突出部２ｂを左手で押さえることが可能である。すなわち、一方の手で把持部５１を把持する場合に、器具蓋部３の回動の邪魔にならないように、他方の手で、右突出部２ａ及び左突出部２ｂのいずれか他方を押さえることが可能である。よって、器具蓋部３を回動させる際に、ケース設置部２が動きにくくなっている。
【００２２】
図３において、カバー体３１の前部には爪部５２が一体に支持されている。爪部５２は、ケース設置部２に向けて突出し、回動中心Ｌ１側に屈曲したＬ字状に形成されている。爪部５２は左右方向の全体に亘ってカバー体３１に形成されている。よって、カバー体３１が回動中心Ｌ１側にスライドした際に、ケース設置部２に設置された全てのピルケースＺ（詳しくは、ケース蓋Ｚ３のリブＺ３ａ）に接触可能である。爪部５２が下方に突出する突出量は、ピルケースＺのリブＺ３ａの高さに設定されている。詳細には、カバー体３１が回動中心Ｌ１側にスライドした場合に、爪部５２の先端５２ａがリブＺ３ａの下面に接触して係止可能な突出量に設定されている。これにより、カバー体３１が回動中心Ｌ１側にスライドした場合に、爪部５２が、リブＺ３ａに係止してケース蓋Ｚ３に上向きの力を作用させることが可能になる。
【００２３】
図１において、ケース設置部２において、側壁部１４、１５および仕切壁１７には、前方上部に切り欠き１４ａ、１５ａ、１７ａが形成されている。切り欠き１４ａ、１５ａ、１７ａは、カバー体３１がスライドする際に、爪部５２と、側壁部１４、１５および仕切壁１７との干渉を回避する部分である。切り欠き１４ａ、１５ａ、１７ａは爪部５２のスライド範囲を含むように形成されている。
【００２４】
側壁２１、２２、外プレート２３（図２参照）、押さえ部材４１により、回動部材（第一の部材）６１が構成される。また、カバー体３１、把持部５１、爪部５２により、回動部材６１に対してスライド可能なスライド部材（第２の部材）６２が構成される。すなわち、器具蓋部３は、ケース設置部２に回動可能に設けられた回動部材６１と、回動部材６１にスライド可能に設けられたスライド部材６２とから構成される。
【００２５】
次に、ケース蓋開閉具１を用いてピルケースＺの蓋を開ける要領について説明をする。
図２において、ケース蓋開閉具１は、例えばテーブル（不図示）上に置かれる。器具蓋部３が閉じているときには、ユーザが把持部５１を把持して、器具蓋部３を開けることが可能である。器具蓋部３を開けると、図１において、ケース設置部２の収容部１６が外部に露出するため、ピルケースＺをケース設置部２に設置可能となる。複数のピルケースＺは、それぞれケース蓋Ｚ３が閉じられた状態でケース設置部２に設置される。
【００２６】
図５は、ケース蓋開閉具１を用いて複数のピルケースＺのケース蓋Ｚ３を開けるときの作用説明図である。図５において、器具蓋部３が閉じられ、スライド部材６２が前後方向のスライド範囲の前端位置に位置している状態を、符号Ａを用いて示し、状態Ａから器具蓋部３が全開するまでの各状態を、符号Ｂ〜Ｄを用いて示す。
図６は、ケース蓋開閉具１によりピルケースＺのケース蓋Ｚ３を開け始めるときの作用説明図である。図６では、図５の状態Ａ〜Ｃにそれぞれ対応する状態を、符号Ａ〜Ｃを用いて示す。したがって、以下では、図５の状態Ａ〜Ｃをそれぞれ説明する際に、図６の状態Ａ〜Ｃも共に説明する。
図５の状態Ａでは、爪部５２が、ピルケースＺのリブＺ３ａの前方に位置する。このとき、図６の状態Ａにおいて、スライド部材６２の凸部３２は第一の凹部４５に進入している。
【００２７】
ユーザが把持部５１を把持して、図５の状態Ａから図５の状態Ｂに示すように、スライド部材６２をスライド範囲の前端位置から回動中心Ｌ１側に移動させると、爪部５２が、ピルケースＺのケース蓋Ｚ３のリブＺ３ａに係止する。爪部５２が、ピルケースＺのケース蓋Ｚ３のリブＺ３ａに係止する際のスライド部材６２の位置を、スライド部材６２の係止位置とする。このようにスライド部材６２を係止位置にスライドさせるときに、図６の状態Ｂに示すように、スライド部材６２の凸部３２は、延伸部４３に沿って移動し、第一の凹部４５から外れて凸状部４７に乗り上げる。よって、係止位置では、凸部３２は、凸状部４７を下方に押し下げて延伸部４３を下方に弾性変形させ、押さえ部４４がケース蓋Ｚ３を下方に押し付けて弾性変形させる。押さえ部４４は、リビングヒンジ部Ｚ２寄りの位置でケース蓋Ｚ３を押し付けているため、ケース蓋Ｚ３は、リビングヒンジ部Ｚ２側では下方に撓む一方で、リブＺ３ａ側では上方に浮き上がる方向に弾性変形する。すなわち、押さえ部４４でケース蓋Ｚ３を下方に押し付けることにより、ケース蓋Ｚ３には開く力が作用する。
【００２８】
また、係止位置では、爪部５２がリブＺ３ａの下部に接触しており、爪部５２はリブＺ３ａを介してケース蓋Ｚ３に上方への力を作用させる。このとき、ケース蓋Ｚ３の上面は、凸部４２ａによって下方に押さえられている。よって、爪部５２と凸部４２ａとによってケース蓋Ｚ３が挟まれた状態で保持される。
【００２９】
次に、図５の状態Ｃに示すように、係止位置において、ユーザが把持部５１を把持して器具蓋部３を上方に回動させると、爪部５２に係止されたリブＺ３ａを介してピルケースＺ全体に上方への力が作用する。このとき、図６の状態Ｃに示すように、ケース蓋Ｚ３のリビングヒンジ部Ｚ２側は押さえ部４４に押さえ付けられているので、ピルケースＺはケース設置部２から離脱せずに保持される。一方で、ケース蓋Ｚ３のリブＺ３ａ側では、ケース蓋Ｚ３の変形によって、ケース本体Ｚ１のスナップフィット部Ｚ１ａからケース蓋Ｚ３の被係止部が外れやすくなり、これに爪部５２からケース蓋Ｚ３に回動力が加わって、ケース蓋Ｚ３が開けられる。
【００３０】
図６の状態Ｂ及び図６の状態Ｃにおいて、ユーザが把持部５１を把持して器具蓋部３を上方に回動させるときには、把持部５１には、回動中心Ｌ１側への押し込み力が作用し易く、爪部５２が、ケース本体Ｚ１と、変形によって撓んだケース蓋Ｚ３との隙間に進入し易い。よって、爪部５２がケース蓋Ｚ３の下部に沿って移動し、スライド部材６２が、スライド範囲の後端の後端位置に移動すると、爪部５２と凸部４３ａとにより、ケース蓋Ｚ３が挟まれて保持される。
また、スライド部材６２が係止位置から後端位置に移動する場合には、図６の状態Ｃに示すように、凸部３２は凸状部４７から外れて第二の凹部４６に移動する。よって、凸部３２は、延伸部４３を押し付けなくなるため、延伸部４３が押し付けられる前の状態に戻る。したがって、押さえ部４４によるピルケースＺを押し付ける力が解除される。スライド部材６２が後端位置に移動し、図６の状態Ｃから、さらに、図５の状態Ｄに示すように、把持部５１を持ち上げて器具蓋部３を全開にすると、爪部５２に係止された全部のピルケースＺのケース蓋Ｚ３が大きく開けられる。
【００３１】
上記のように、器具蓋部３を上方に開く動作と、器具蓋部３を開く途中に、把持部５１を押してスライド部材６２を後端位置まで移動させてピルケースＺのケース蓋Ｚ３に爪部５２を係止する動作と、爪部５２でケースＺのケース蓋Ｚ３を開く動作とを一連の動作とすることができる。
したがって、ケース蓋開閉具１により、全てのケースＺのケース蓋Ｚ３の開く動作をスムーズに且つ短時間で行うことができる。
【００３２】
図７は、ピルケースＺのケース蓋Ｚ３が全開した状態を表す斜視図である。図８は、ピルケースＺのケース蓋Ｚ３が全開した状態を表す右側面図である。
図７、図８に示すように、器具蓋部３が全開する際には、ケース載置部２の回動中心Ｌ１側の端部に設けられたストッパ部（不図示）に、器具蓋部３の基端部２１ａ，２２ａ側又は外プレート２３（図２参照）側に設けられた当接部（不図示）が当たって器具蓋部３の全開状態が保持される。
【００３３】
上記したように、器具蓋部３を全開とすることで、複数のピルケースＺのケース蓋Ｚ３を開けることができるため、複数のピルケースＺのケース蓋Ｚ３を一つずつ開ける場合に比べて、ピルケースＺのケース蓋Ｚ３を開ける作業が容易になる。また、各ケース蓋Ｚ３が大きく開くため、各ピルケースＺへの薬の収容作業も容易となる。
器具蓋部３が全開された状態では、爪部５２は、その重みで最も下降した後端位置に移動した状態にある。したがって、爪部５２よるケース蓋Ｚ３の係止状態が維持される。よって、ユーザは把持部５１から手を放した状態で、開放されたケース本体Ｚ１内に薬を配置可能である。
【００３４】
次に、ケース蓋開閉具１を用いて、薬を配置したピルケースＺの蓋Ｚ３を閉じるときの要領について説明をする。
図９は、ケース蓋開閉具１を用いて複数のピルケースＺの蓋を閉じるときの作用説明図である。
図９の状態Ａは、図５の状態Ｄ、図７および図８に対応する。図９の状態Ａにおいて、ユーザは、把持部５１を把持して器具蓋部３を前方に回動させ、器具蓋部３を閉じる。このとき、図９の状態Ｂに示すように、ユーザは、把持部５１を上方に移動させ、スライド部材６２を前端位置まで移動させる。スライド部材６２が前端位置に移動した状態では、爪部５２がケース蓋Ｚ３から外れる。この状態で、図９の状態Ｃから状態Ｄに示すように、器具蓋部３が閉じられると、器具蓋部３の凸部４２ａがケース蓋Ｚ３を下方に押さえ付ける。これによって、全てのピルケースＺにおいて、ケース蓋Ｚ３がケース本体Ｚ１側に押されて、スナップフィット部Ｚ１ａがケース蓋Ｚ３の被係止部に係止した状態となる。これで、全部のケース蓋Ｚ３が閉じられ、各ピルケースＺに薬を収容させる作業が完了する。
そして、把持部５１を前端位置に移動させた状態で器具蓋部３を開けると、薬が収容されたピルケースＺを取り外すことが可能となる。
【００３５】
なお、器具蓋部３を全開位置から閉じる際に、スライド部材６２が後端位置に移動している状態で器具蓋部３を閉じることも可能である。この場合には、器具蓋部３を閉じる前（例えば、器具蓋部３が鉛直となった位置よりも手前側に傾いた位置にあるとき）に、あるいは閉じた後に、把持部５１を手前に引き、スライド部材６２を前端位置に移動させる。これにより、爪部５２をケース本体Ｚ１とケース蓋Ｚ３との間から引き出し、更に、器具蓋部３に下方の力を付与すると、凸部４２ａでケース蓋Ｚ３を下方に押し付けてピルケースＺのケース蓋Ｚ３を閉じることができる。
【００３６】
上記のように、器具蓋部３を手前に倒す動作と、器具蓋部３を倒す途中に、把持部５１を引いてスライド部材６２を前端位置に移動させてピルケースＺのケース蓋Ｚ３から爪部５２の係止を解除する動作と、把持部５１に下方向の力を作用させてケースＺのケース蓋Ｚ３を完全に閉じる動作とを一連の動作とすることができる。
更には、器具蓋部３を閉じた後に、薬が収容されたピルケースＺを取り外すために再び器具蓋部３を開ける動作も一連の動作とすることができる。
したがって、ケース蓋開閉具１により、ケースＺのケース蓋Ｚ３の閉じる動作及びケース蓋Ｚ３の閉じた後にピルケースＺを取り出す動作をスムーズに且つ短時間で行うことができる。
【００３７】
以上の図１及び図３で説明したように、本発明を適用した第１の実施形態によれば、ケース蓋開閉具１は、ケース蓋Ｚ３付きのピルケースＺを複数設置可能なケース設置部２と、ケース設置部２に開閉可能に設けられた器具蓋部３とを備える。ここで、器具蓋部３は、ケース設置部２に回動可能に設けられた回動部材６１と、回動部材６１にスライド可能に設けられたスライド部材６２とからなる。スライド部材６２は、複数のピルケースＺのケース蓋Ｚ３に係止可能な爪部５２を備える。これにより、第二の部材としてのスライド部材６２をスライドさせ、スライド部材６２の爪部５２を複数のケースとしてのピルケースＺの蓋としてのケース蓋Ｚ３に係止させて器具蓋部３を開けるのに伴い、複数のピルケースＺのケース蓋Ｚ３を開けることができ、複数のピルケースＺへの薬の収容作業を容易にすることができる。
【００３８】
また、第１の実施形態では、回動部材６１は、スライド部材６２のスライドに伴ってピルケースＺのケース蓋Ｚ３を押さえる押さえ部４４を備える。この押さえ部４４は、爪部５２よりも、回動部材６１の回動中心Ｌ１側に配置されている。これにより、回動部材６１の回動中心Ｌ１側に位置する押さえ部４４でピルケースＺのケース蓋Ｚ３を押え付けながら爪部５２をピルケースＺのケース蓋Ｚ３に係止させることで、ピルケースＺがケース設置部２から離脱することを防止しながらピルケースＺのケース蓋Ｚ３を開けることが可能になる。
【００３９】
また、第１の実施形態では、樹脂製のピルケースＺが開閉される。よって、ピルケースＺが樹脂製でない場合に比べて、押さえ部４４がケース蓋Ｚ３を押さえた場合に、ケース蓋Ｚ３を撓ませ易く、複数のケースを開け易くすることができる。
【００４０】
本発明に係る複数のケースの蓋の開閉方法は、ケース蓋開閉具１のケース設置部２にケース蓋Ｚ３付きのピルケースＺを複数設置し、ケース設置部２に開閉可能に設けられた器具蓋部３を構成する回動部材６１を閉じた状態で、器具蓋部３に備えるスライド可能なスライド部材６２をスライドさせて、スライド部材６２に備える爪部５２を複数のピルケースＺのケース蓋Ｚ３に係止させ、器具蓋部３を開けることで複数のピルケースＺのケース蓋Ｚ３を開ける。これにより、スライド部材６２をスライドさせ、スライド部材６２の爪部５２を複数のピルケースＺのケース蓋Ｚ３に係止させて器具蓋部３を開けるのに伴い、複数のピルケースＺのケース蓋Ｚ３を開けることができ、複数のピルケースＺへの薬の収容作業を容易にすることができる。
【００４１】
＜第２の実施形態＞
以下の説明では、第１の実施形態で説明した構成要素と同一の構成に要素については、同一の符号を付し、その説明を省略する。
図１０は、第２の実施形態のケース蓋開閉具８１によりピルケースＺのケース蓋Ｚ３を開け始めるときの作用説明図である。図１０では、図６の状態Ａ〜Ｃに対応する状態を、符号Ａ〜Ｃを用いて示す。
【００４２】
ケース蓋開閉具８１は、ピルケース（蓋付きのケース）Ｚを複数設置可能なケース設置部２と、ケース設置部２に開閉可能に設けられた器具蓋部８３とを備える。
器具蓋部８３は、左右一対の側壁２１、２２と、カバー体（蓋部本体）８４と、押さえ部材８５とを備える。
【００４３】
第２の実施形態では、側壁２１、２２、外プレート２３、カバー体８４により回動部材（第一の部材）７１が構成される。また、押さえ部材８５、把持部５１、爪部５２により、回動部材７１に対してスライド可能なスライド部材（第二の部材）７２が構成される。よって、第２の実施形態の器具蓋部８３は、ケース設置部２に回動可能に設けられた回動部材７１と、回動部材７１にスライド可能に設けられたスライド部材７２とから構成される。
第２の実施形態では、カバー体８４は、側壁２１、２２（図２参照）および外プレート２３（図２参照）に固定支持されている。
また、内側片２１ｄ、２２ｄ（図１参照）が押さえ部材８５のスライド範囲に応じた長さに形成されている。押さえ部材８５の被支持部４２は、内側片２１ｄ、２２ｄおよびカバー体８４に挟まれて配置される。これにより、被支持部４２が、側壁２１、２２の直線部２１ｃ、２２ｃに沿ってスライド可能に支持される。
【００４４】
把持部５１および爪部５２は、押さえ部材８５の前端部に一体的に形成されている。押さえ部材８５が前端位置にある場合に、カバー体８４の凸部３２が、第二の凹部４６に嵌る。
【００４５】
第２の実施形態のケース蓋開閉具８１では、スライド部材７２を、図１０の状態Ａで示す前端位置と、図１０の状態Ｂで示す係止位置と、図１０の状態Ｃで示す後端位置との間で移動させる際に、回動部材７１のカバー体８４に対して、押さえ部材８５がスライドする。これにより、凸部３２に対して、第一の凹部４５、凸状部４７、第二の凹部４６を一体に移動させることが可能である。したがって、第２の実施形態では、回動部材７１とスライド部材７２の構成部材が異なるが、第１の実施形態と同様の作用効果を奏する。
【００４６】
以上説明したように、本発明を適用した第２の実施の形態によれば、スライド部材７２は、スライド部材７２のスライドに伴って、回動部材７１の凸部３２に押されてピルケースＺのケース蓋Ｚ３を押さえ付ける押さえ部４４を備える。この押さえ部４４は、爪部５２よりも、回動部材６１の回動中心Ｌ１側に配置されている。したがって、第２の実施形態でも、ピルケースＺがケース設置部２から離脱することを防止するとともに、回動中心Ｌ１側でケース蓋Ｚ３を撓ませることにより、回動中心Ｌ１から離れた爪部５２側ではケース蓋Ｚ３に開く方向の力を作用させることができる。
【００４７】
上述した実施形態は、あくまでも本発明の一態様を示すものであり、本発明の主旨を逸脱しない範囲で任意に変形及び応用が可能である。
各実施形態では、薬が収容されるピルケースを開閉する構成を説明したが、本発明のケース蓋開閉具１を、貴金属などの小物や、調味料など、薬以外のケースの開閉に適用することは当然可能である。
ピルケースＺは樹脂製の構成を説明したが、金属製の構成も可能である。金属性のケースの場合には、例えば、リビングヒンジ部Ｚ２に代えて、軸によるヒンジにしてピルケースを開閉させる構成が可能である。
【符号の説明】
【００４８】
１、８１  ケース蓋開閉具
２  ケース設置部
３、８３  器具蓋部
４４  押さえ部
５２  爪部
６１、７１  第一の部材
６２、７２  第二の部材
Ｌ１  回動中心
Ｚ  ケース  
Ｚ３  蓋
【図１】
2019001535.tif 000003
【図２】
2019001535.tif 000004
【図３】
2019001535.tif 000005
【図４】
2019001535.tif 000006
【図５】
2019001535.tif 000007
【図６】
2019001535.tif 000008
【図７】
2019001535.tif 000009
【図８】
2019001535.tif 000010
【図９】
2019001535.tif 000011
【図１０】
2019001535.tif 000012